(57)【要約】  システムは、廃水を受け取り、廃水の第１の部分を保持し、廃水の第１の部分を第１の蒸気および第１の固体物質に分離するように構成された第１の分離器と；第１の分離器と流体連通している第２の分離器と、を含み、第２の分離器は、第１の分離器から廃水の第２の部分を受け取り、廃水の第２の部分を第２の蒸気および第２の固体物質に分離するように構成され、第２の分離器は、第１の凝縮器と、加熱要素と、第１の電気凝固ユニットとを含む。関連する器具、システム、技術および物品についても説明する。
2021526955.tif 000002
【特許請求の範囲】
【請求項１】
システムにおいて、
廃水を受け取り、前記廃水の第１の部分を保持し、前記廃水の前記第１の部分を第１の蒸気および第１の固体物質に分離するように構成された第１の分離器と、
前記第１の分離器と流体連通している第２の分離器と、
を含み、
前記第２の分離器は、前記第１の分離器から前記廃水の第２の部分を受け取り、前記廃水の前記第２の部分を第２の蒸気および第２の固体物質に分離するように構成され、
前記第２の分離器は、
前記第１の分離器と流体連通している第１の凝縮器であって、前記第１の凝縮器は、前記第１の分離器から前記第１の蒸気を受け取り、前記第１の蒸気からの熱を前記廃水の前記第２の部分に伝達し、それによって前記第１の蒸気を第１の液体に凝縮するように構成されている、第１の凝縮器と、
熱を生成し、前記熱を前記廃水の前記第２の部分に伝達するように構成された加熱要素であって、前記第１の蒸気からの熱および前記加熱要素からの熱は、前記廃水の前記第２の部分の少なくとも一部を蒸発させ、それによって前記第２の分離器内に前記第２の蒸気を形成する、加熱要素と、
前記廃水の前記第２の部分と接触する第１のアノードおよび第１のカソードを含む少なくとも１つの第１の電気凝固セルを有する第１の電気凝固ユニットであって、前記少なくとも１つの第１の電気凝固セルは、前記廃水の前記第２の部分から懸濁固体を分離するように構成され、分離された前記懸濁固体は、前記第２の固体物質の少なくとも一部を形成する、第１の電気凝固ユニットと、
を含む、システム。
【請求項２】
前記第１の分離器は、前記第２の分離器と流体連通している第２の凝縮器を含み、前記第２の凝縮器は、前記第２の分離器から前記第２の蒸気を受け取り、前記第２の蒸気からの熱を前記廃水の前記第１の部分に伝達し、それによって前記第２の蒸気を第２の液体に凝縮するように構成されている、請求項１に記載のシステム。
【請求項３】
前記第１の分離器は、前記廃水の前記第１の部分と接触する少なくとも１つの第２の電気凝固セルを有する第２の電気凝固ユニットを含み、前記少なくとも１つの第２の電気凝固セルは、前記廃水の前記第１の部分から懸濁固体を分離するように構成され、分離された前記懸濁固体は、前記第１の固体物質の少なくとも一部を形成する、請求項２に記載のシステム。
【請求項４】
前記加熱要素および前記第１の電気凝固と電子通信するコントローラをさらに含み、前記コントローラは、前記加熱要素によって生成される熱の量を制御し、前記少なくとも１つの第１の電気凝固セルの前記第１のアノードと前記第１のカソードとの間の第１の電圧差を制御するように構成され、前記第１の電圧差は、前記懸濁固体が前記廃水の前記第２の部分から分離される速度を決定する、請求項１に記載のシステム。
【請求項５】
前記第２の分離器は、マイクロ波を生成し、前記マイクロ波の少なくとも一部を前記第２の分離器内の前記廃水の前記第２の部分に向け、それによって前記廃水の前記第２の部分を加熱するように構成されたマグネトロンを含む、請求項４に記載のシステム。
【請求項６】
前記第１の分離器と流体連通している予備分離器をさらに含み、前記予備分離器は、前記廃水を受け取り、前記廃水から不溶性固体物質を分離し、前記廃水から前記不溶性固体物質を除去し、前記廃水を前記第１の分離器に供給するように構成されている、請求項４に記載のシステム。
【請求項７】
前記予備分離器はハイドロサイクロンであり、前記ハイドロサイクロンは、受け取られた前記廃水を前記ハイドロサイクロンの内面の周りに接線方向に向け、それによって、前記受け取られた廃水に作用して、前記受け取られた廃水から前記不溶性固体物質を分離する反応性遠心力を発生するように構成されている、請求項６に記載のシステム。
【請求項８】
前記第２の分離器に結合された少なくとも１つの第１の圧力計をさらに含み、前記少なくとも１つの第１の圧力計は、前記第２の分離器内の前記第２の蒸気の圧力を測定するように構成されている、請求項４に記載のシステム。
【請求項９】
前記第１の分離器に結合された少なくとも１つの第２の圧力計をさらに含み、前記少なくとも１つの第２の圧力計は、前記第１の分離器内の前記第１の蒸気の圧力を測定するように構成されている、請求項８に記載のシステム。
【請求項１０】
前記第２の分離器内に配置された第１のレベル計をさらに含み、前記第１のレベル計は、前記廃水の前記第２の部分の量を測定するように構成されている、請求項１に記載のシステム。
【請求項１１】
前記第２の分離器内に配置された第１のデミスタをさらに含み、前記第１のデミスタは、前記第２の蒸気中に同伴された液滴を除去するように構成されている、請求項１に記載のシステム。
【請求項１２】
前記第１の分離器内に配置された第２のデミスタをさらに含み、前記第２のデミスタは、前記第１の蒸気中に同伴された液滴を除去するように構成されている、請求項１１に記載のシステム。
【請求項１３】
方法において、
第１の分離器において廃水を受け取り、前記廃水の第１の部分を前記第１の分離器内に保持することと、
第２の分離器において、前記第１の分離器から前記廃水の第２の部分を受け取ることと、
前記廃水の前記第２の部分から懸濁固体を除去するために第１の電気凝固ユニットの第１のセルの第１のアノードと第１のカソードとの間に第１の電圧差を発生させることと、
前記第２の分離器内の第１の凝縮器において前記第１の分離器から第１の蒸気を受け取ることと、
前記第１の蒸気からの熱を前記廃水の前記第２の部分に伝達し、それによって前記第１の蒸気を第１の液体に凝縮することと、
前記第２の分離器内の第１の加熱要素を使用して熱を生成することと、
前記廃水の前記第２の部分に前記熱を伝達することであって、前記第１の蒸気からの熱および前記加熱要素からの熱は、前記廃水の前記第２の部分の少なくとも一部を蒸発させ、それによって前記第２の分離器内に第２の蒸気を形成する、ことと、
前記第２の蒸気を前記第１の分離器内の第２の凝縮器に供給することと、
を含む、方法。
【請求項１４】
前記第２の凝縮器において前記第２の蒸気を受け取ることと、
前記第２の蒸気からの熱を前記廃水の前記第１の部分に伝達し、それによって前記第２の蒸気を第２の液体に凝縮することと、
をさらに含む、請求項１３に記載の方法。
【請求項１５】
前記廃水の前記第１の部分から懸濁固体を除去するために、第２の電気凝固ユニットの第２のセルの第２のアノードと第２のカソードとの間に第２の電圧差を発生させることをさらに含む、請求項１３に記載の方法。
【請求項１６】
マグネトロンを使用してマイクロ波を生成することと、
前記マイクロ波の少なくとも一部を前記廃水の前記第２の部分に向けることにより、前記廃水の前記第２の部分を加熱することと、
をさらに含む、請求項１３に記載の方法。
【請求項１７】
前記第２の分離器に結合された少なくとも１つの第１の圧力計を用いて、前記第２の分離器内の前記第２の蒸気の圧力を測定することをさらに含む、請求項１３に記載の方法。
【請求項１８】
前記第１の分離器に結合された少なくとも１つの第２の圧力計を用いて、前記第１の分離器内の前記第１の蒸気の圧力を測定することをさらに含む、請求項１７に記載の方法。
【請求項１９】
前記第２の分離器内に配置された第１のデミスタを用いて、前記第２の蒸気中に同伴された液滴を除去することをさらに含む、請求項１３に記載の方法。
【請求項２０】
前記第１の分離器内に配置された第２のデミスタを用いて、前記第１の蒸気中に同伴された液滴を除去することをさらに含む、請求項１９に記載の方法。
【請求項２１】
システムにおいて、
廃水を受け取り、前記廃水の第１の部分を保持し、前記廃水の前記第１の部分を第１の蒸気および第１の固体物質に分離するように構成された第１の分離器を含み、
前記第１の分離器は、第１の凝縮器および第１の電気凝固ユニットを含む、システム。
【請求項２２】
前記第１の分離器と流体連通している第２の分離器をさらに含み、前記第２の分離器は、前記第１の分離器から前記廃水の第２の部分を受け取り、前記廃水の前記第２の部分を第２の蒸気および第２の固体物質に分離するように構成されている、請求項２１に記載のシステム。
【請求項２３】
前記第２の分離器は、前記第１の分離器と流体連通している第２の凝縮器を含み、前記第２の凝縮器は、前記第１の分離器から前記第１の蒸気を受け取り、前記第１の蒸気からの熱を前記廃水の前記第２の部分に伝達し、それによって前記第１の蒸気を第１の液体に凝縮するように構成されている、請求項２１に記載のシステム。
【請求項２４】
前記第２の分離器は、熱を生成し、前記熱を前記廃水の前記第２の部分に伝達するように構成された加熱要素を含み、前記第１の蒸気からの熱および前記加熱要素からの熱は、前記廃水の前記第２の部分の少なくとも一部を蒸発させ、それによって前記第２の分離器内に前記第２の蒸気を形成する、請求項２３に記載のシステム。
【請求項２５】
前記第２の分離器は、前記廃水の前記第２の部分と接触する第１のアノードおよび第１のカソードを含む少なくとも１つの第１の電気凝固セルを有する第２の電気凝固ユニットを含み、前記少なくとも１つの第１の電気凝固セルは、前記廃水の前記第２の部分から懸濁固体を分離するように構成され、分離された前記懸濁固体は、前記第２の固体物質の少なくとも一部を形成する、請求項２４に記載のシステム。
【請求項２６】
合計ｎ個の分離器（ｎは自然数である；ｎ≧２）をさらに含み、
第ｉの分離器（ｉは任意の自然数である；２≦ｉ≦ｎ）については、前記第ｉの分離器は、第（ｉ−１）の分離器と連通し、前記第ｉの分離器は、前記第（ｉ−１）の分離器から前記廃水の第ｉの部分を受け取り、前記廃水の前記第ｉの部分を第ｉの蒸気および第ｉの固体物質に分離するように構成され、前記第ｉの分離器は、第ｉの凝縮器および第ｉの電気凝固ユニットを含む、請求項２１に記載のシステム。
【請求項２７】
第ｎの分離器は、熱を生成し、前記熱を前記廃水の第ｎの部分に伝達するように構成された加熱要素を含み、第（ｎ−１）の蒸気からの熱および前記加熱要素からの熱は、前記廃水の前記第ｎの部分の少なくとも一部を蒸発させ、それによって前記第ｎの分離器内に第ｎの蒸気を形成する、請求項２６に記載のシステム。
【請求項２８】
第ｎの分離器は、マイクロ波を生成し、前記マイクロ波の少なくとも一部を前記第ｎの分離器内の前記廃水の第ｎの部分に向け、それによって前記廃水の前記第ｎの部分を加熱するように構成されたマグネトロンを含む、請求項２６に記載のシステム。
【請求項２９】
前記第１〜第ｎの分離器のうちの少なくとも１つは、蒸気中に同伴された液滴を除去するように構成されたデミスタを含む、請求項２６に記載のシステム。
【請求項３０】
前記第１の分離器と流体連通している予備分離器をさらに含み、前記予備分離器は、前記廃水を受け取り、不溶固体物質を前記廃水から分離し、前記不溶固体物質を前記廃水から除去し、前記廃水を前記第１の分離器に供給するように構成されている、請求項２６に記載のシステム。
【請求項３１】
前記予備分離器は、ハイドロサイクロンであり、前記ハイドロサイクロンは、受け取られた前記廃水を前記ハイドロサイクロンの内面の周りに接線方向に向け、それによって前記受け取られた廃水に作用して前記受け取られた廃水から前記不溶性固体物質を分離する反応性遠心力を発生するように構成されている、請求項３０に記載のシステム。
【請求項３２】
前記第１の分離器は、加熱要素を含む、請求項２１に記載のシステム。
【発明の詳細な説明】
【開示の内容】
【０００１】
〔関連出願の相互参照〕
本出願は、２０１８年６月４日に出願された米国仮出願第６２／６８０，０３９号の優先権を主張し、その開示全体を参照により本明細書に明示的に組み込む。
【０００２】
〔技術分野〕
本発明の主題は一般的に廃水処理システムに関連している。
【０００３】
〔背景〕
蒸留所は蒸留プロセスによりアルコールを生産する。蒸留は、選択的な沸騰および凝縮によって混合物から成分を分離するプロセスである。アルコール製造では、ウォッシュと呼ばれる混合物が、エタノール発酵を用いて生成される。エタノール発酵は、グルコース、フルクトースおよびスクロースのような糖が細胞エネルギーに変換され、副産物としてエタノールおよび二酸化炭素を生産する生物学的プロセスである。蒸留のための糖の一般的な１つの供給源は糖蜜であり、これはサトウキビまたはテンサイを精製して糖にするときの副産物である。
【０００４】
蒸留の間、エタノールを含むウォッシュの軽質成分が蒸発するように、ウォッシュに熱が加えられる。蒸気から熱を除去して凝縮させ、液体を、ウォッシュとは別の容器に保存する。このプロセスを複数回繰り返して、液体中のエタノールの濃度を上げることができる。蒸留後に残るウォッシュの一部は、蒸留廃液、スペントウォッシュ、または廃水と呼ばれる。
【０００５】
スペントウォッシュは、液体成分と固体成分の混合物であり、有機物および栄養素、例えば、窒素、リン、カリウム、カルシウムおよび硫黄、の豊富な供給源である。スペントウォッシュは、鉄、亜鉛、銅、マンガン、ホウ素、およびモリブデンなどの微量栄養素も含有し得る。しかし、スペントウォッシュは酸性で、生化学的酸素要求量（ＢＯＤ）および化学的酸素要求量（ＣＯＤ）が高い。スペントウォッシュが未処理のまま環境中に放出されると、酸性度を高め、溶存酸素を消費することで水源を汚染する場合があり、これにより、水生生物および他の生物を危険にさらす可能性がある。
【０００６】
〔概要〕
一態様では、システムは、廃水を受け取り、廃水の第１の部分を保持し、廃水の第１の部分を第１の蒸気および第１の固体物質に分離するように構成された第１の分離器と；第１の分離器と流体連通している第２の分離器と、を含み、第２の分離器は、第１の分離器から廃水の第２の部分を受け取り、廃水の第２の部分を第２の蒸気および第２の固体物質に分離するように構成され、第２の分離器は、第１の凝縮器と、加熱要素と、第１の電気凝固ユニットとを含む。第１の凝縮器は、第１の分離器と流体連通しており、第１の凝縮器は、第１の分離器から第１の蒸気を受け取り、第１の蒸気からの熱を廃水の第２の部分に伝達し、それによって第１の蒸気を第１の液体に凝縮するように構成されている。加熱要素は、熱を生成し、その熱を廃水の第２の部分に伝達するように構成され、第１の蒸気からの熱および加熱要素からの熱は、廃水の第２の部分の少なくとも一部を蒸発させ、それによって第２の分離器内に第２の蒸気を形成する。第１の電気凝固ユニットは、廃水の第２の部分と接触する第１のアノードおよび第１のカソードを含む少なくとも１つの第１の電気凝固セルを含み、少なくとも１つの第１の電気凝固セルは、廃水の第２の部分から懸濁固体を分離するように構成され、分離された懸濁固体は、第２の固体物質の少なくとも一部を形成する。
【０００７】
以下の特徴の１つ以上を、任意の実現可能な組み合わせで含めることができる。第１の分離器は、第２の分離器と流体連通している第２の凝縮器を含むことができ、第２の凝縮器は、第２の分離器から第２の蒸気を受け取り、第２の蒸気からの熱を廃水の第１の部分に伝達し、それによって第２の蒸気を第２の液体に凝縮するように構成される。第１の分離器は、廃水の第１の部分と接触する少なくとも１つの第２の電気凝固セルを有する第２の電気凝固ユニットを含むことができ、少なくとも１つの第２の電気凝固セルは、廃水の第１の部分から懸濁固体を分離するように構成され、分離された懸濁固体は、第１の固体物質の少なくとも一部を形成する。
【０００８】
システムは、加熱要素および第１の電気凝固と電子通信するコントローラを含むことができ、コントローラは、加熱要素によって生成される熱の量を制御し、少なくとも１つの第１の電気凝固セルのアノードとカソードとの間の第１の電圧差を制御するように構成され、第１の電圧差は、懸濁固体が廃水の第２の部分から分離される速度を決定する。第２の分離器は、マイクロ波を生成し、マイクロ波の少なくとも一部を第２の分離器内の廃水の第２の部分に向け、それによって廃水の第２の部分を加熱するように構成されたマグネトロンを含むことができる。このシステムは、第１の分離器と流体連通している予備分離器を含むことができ、予備分離器は、廃水を受け取り、廃水から不溶性固体物質を分離し、廃水から不溶性固体物質を除去し、廃水を第１の分離器に供給するように構成される。予備分離器は、ハイドロサイクロンを含むことができ、ハイドロサイクロンは、受け取られた廃水をハイドロサイクロンの内面の周りに接線方向に向け、それによって受け取られた廃水に作用して受け取られた廃水から不溶性固体物質を分離する反応性遠心力を発生するように構成される。システムは、第２の分離器に結合された少なくとも１つの第１の圧力センサを含むことができ、少なくとも１つの第１の圧力センサは、第２の分離器内の第２の蒸気の圧力を測定するように構成される。システムは、第１の分離器に結合された少なくとも１つの第２の圧力センサを含むことができ、少なくとも１つの第２の圧力センサは、第１の分離器内の第１の蒸気の圧力を測定するように構成される。
【０００９】
システムは、第２の分離器内に配置された第１のレベル計を含むことができ、第１のレベル計は、廃水の第２の部分の量を測定するように構成される。システムは、第２の分離器内に配置された第１のデミスタを含むことができ、第１のデミスタは、第２の蒸気中に同伴された液滴を除去するように構成される。システムは、第１の分離器内に配置された第２のデミスタを含むことができ、第２のデミスタは、第１の蒸気中に同伴された液滴を除去するように構成される。
【００１０】
別の態様では、方法は、第１の分離器において廃水を受け取り、廃水の第１の部分を第１の分離器内に保持することと；第２の分離器において、第１の分離器から廃水の第２の部分を受け取ることと；廃水の第２の部分から懸濁固体を除去するために第１の電気凝固ユニットの第１のセルの第１のアノードと第１のカソードとの間に第１の電圧差を発生させることと；第２の分離器内の第１の凝縮器において第１の分離器から第１の蒸気を受け取ることと；第１の蒸気からの熱を廃水の第２の部分に伝達し、それによって第１の蒸気を第１の液体に凝縮することと；第２の分離器内の第１の加熱要素を使用して熱を生成することと；廃水の第２の部分に熱を伝達することであって、第１の蒸気からの熱および加熱要素からの熱は、廃水の第２の部分の少なくとも一部を蒸発させ、それによって第２の分離器内に第２の蒸気を形成する、ことと；第２の蒸気を第１の分離器内の第２の凝縮器に供給することと、を含む。
【００１１】
この方法は、第２の凝縮器において第２の蒸気を受け取ることと；第２の蒸気からの熱を廃水の第１の部分に伝達し、それによって第２の蒸気を第２の液体に凝縮することと、を含むことができる。この方法は、廃水の第１の部分から懸濁固体を除去するために、第２の電気凝固ユニットの第２のセルの第２のアノードと第２のカソードとの間に第２の電圧差を発生させることを含むことができる。この方法は、マグネトロンを使用してマイクロ波を生成することと；マイクロ波の少なくとも一部を廃水の第２の部分に向けることにより、廃水の第２の部分を加熱することと、を含むことができる。
【００１２】
この方法は、第２の分離器に結合された少なくとも１つの第１の圧力センサを用いて、第２の分離器内の第２の蒸気の圧力を測定することを含むことができる。この方法は、第１の分離器に結合された少なくとも１つの第２の圧力センサを用いて、第１の分離器内の第１の蒸気の圧力を測定することを含むことができる。この方法は、第２の分離器内に配置された第１のデミスタを用いて、第２の蒸気中に同伴された液滴を除去することを含むことができる。この方法は、第１の分離器内に配置された第２のデミスタを用いて、第１の蒸気中に同伴された液滴を除去することを含むことができる。
【００１３】
さらに別の態様では、システムは、廃水を受け取り、廃水の第１の部分を保持し、廃水の第１の部分を第１の蒸気および第１の固体物質に分離するように構成された第１の分離器を含み、第１の分離器は、第１の凝縮器および第１の電気凝固ユニットを含む。第１の分離器は、加熱要素を含むこともできる。
【００１４】
以下の特徴の１つ以上を、任意の実現可能な組み合わせで含めることができる。システムは、第１の分離器と流体連通している第２の分離器をさらに含むことができ、第２の分離器は、第１の分離器から廃水の第２の部分を受け取り、廃水の第２の部分を第２の蒸気および第２の固体物質に分離するように構成される。第２の分離器は、第１の分離器と流体連通している第２の凝縮器を含むことができ、第２の凝縮器は、第１の分離器から第１の蒸気を受け取り、第１の蒸気からの熱を廃水の第２の部分に伝達し、それによって第１の蒸気を第１の液体に凝縮するように構成される。第２の分離器は、熱を生成し、その熱を廃水の第２の部分に伝達するように構成された加熱要素をさらに含むことができ、第１の蒸気からの熱および加熱要素からの熱は、廃水の第２の部分の少なくとも一部を蒸発させ、それによって第２の分離器内に第２の蒸気を形成する。第２の分離器は、廃水の第２の部分と接触する第１のアノードおよび第１のカソードを含む少なくとも１つの第１の電気凝固セルを有する第２の電気凝固ユニットをさらに含むことができ、少なくとも１つの第１の電気凝固セルは、廃水の第２の部分から懸濁固体を分離するように構成され、分離された懸濁固体は、第２の固体物質の少なくとも一部を形成する。
【００１５】
このシステムは、合計ｎ個の分離器（ｎは自然数である；ｎ≧２）を含むことができ、第ｉの分離器（ｉは任意の自然数である；２≦ｉ≦ｎ）については、第ｉの分離器は、第（ｉ−１）の分離器と連通し、第ｉの分離器は、第（ｉ−１）の分離器から廃水の第ｉの部分を受け取り、廃水の第ｉの部分を第ｉの蒸気および第ｉの固体物質に分離するように構成され、第ｉの分離器は、第ｉの凝縮器および第ｉの電気凝固ユニットを含む。第ｎの分離器は、熱を生成し、その熱を廃水の第ｎの部分に伝達するように構成された加熱要素を含むことができ、第（ｎ−１）の蒸気からの熱および加熱要素からの熱は、廃水の第ｎの部分の少なくとも一部を蒸発させ、それによって第ｎの分離器内に第ｎの蒸気を形成する。第ｎの分離器は、マイクロ波を生成し、マイクロ波の少なくとも一部を第ｎの分離器内の廃水の第ｎの部分に向け、それによって廃水の第ｎの部分を加熱するように構成されたマグネトロンをさらに含むことができる。第１〜第ｎの分離器のうちの少なくとも１つは、蒸気中に同伴された液滴を除去するように構成されたデミスタを含むことができる。
【００１６】
システムは、第１の分離器と流体連通している予備分離器をさらに含むことができ、予備分離器は、廃水を受け取り、不溶固体物質を廃水から分離し、不溶固体物質を廃水から除去し、廃水を第１の分離器に供給するように構成される。予備分離器は、ハイドロサイクロンであり得、ハイドロサイクロンは、受け取られた廃水をハイドロサイクロンの内面の周りに接線方向に向け、それによって受け取られた廃水に作用して受け取られた廃水から不溶性固体物質を分離する反応性遠心力を発生するように構成される。
【００１７】
１つ以上のコンピューティングシステムの１つ以上のデータプロセッサによって実行されたときに、少なくとも１つのデータプロセッサに本明細書中の動作を実行させる命令を格納する、非一時的コンピュータプログラム製品（すなわち、物理的に具現化されたコンピュータプログラム製品）についても説明する。同様に、１つ以上のデータプロセッサと、１つ以上のデータプロセッサに結合されたメモリと、を含むことができるコンピュータシステムについても説明する。メモリは、少なくとも１つのプロセッサに本明細書に記載される動作のうちの１つ以上を実行させる命令を一時的または永続的に格納することができる。さらに、方法は、単一のコンピューティングシステム内にあるか、または２つ以上のコンピューティングシステム間に分散された、１つ以上のデータプロセッサによって実施することができる。このようなコンピューティングシステムは、ネットワーク（例えば、インターネット、無線広域ネットワーク、ローカルエリアネットワーク、広域ネットワーク、有線ネットワーク等）を介した接続を含む、１つ以上の接続を介して、複数のコンピューティングシステムのうちの１つ以上の間の直接接続等を介して、接続され、データおよび／もしくはコマンドまたは他の命令等を交換することができる。
【００１８】
本明細書に記載される主題の１つ以上の変形の詳細は、添付の図面および以下の説明に記載される。本明細書に記載される主題の他の特徴および利点は、説明および図面、ならびに特許請求の範囲から明らかであろう。
【図面の簡単な説明】
【００１９】
【図１】スペントウォッシュを処理するために使用することができる処理システムの例示的な実施形態のブロック図である。
【図２】スペントウォッシュを処理するために使用することができる処理システムの別の例示的な実施形態の詳細図である。
【図３】図２に示す処理システムの予備分離器およびシステムの拡大図である。
【図４】図２に示す処理システムの主要分離器容器の拡大図である。
【図５】図２に示す処理システムの二次分離器容器の拡大図である。
【図６】廃水処理システムの別の例としての実施形態を示す。
【図７】４つの分離器を有する分離器システムの拡大図を示す。
【図８】本発明の主題のいくつかの態様による例としての実施形態の仕様を示す表である。
【図９】石油精製施設で実装される本発明の主題の例としての実施形態を示す。
【図１０】石油精製施設で実装される本発明の主題の例としての実施形態を示す。
【図１１】石油精製施設で実装される本発明の主題の例としての実施形態を示す。
【図１２】石油精製施設で実装される本発明の主題の例としての実施形態を示す。
【図１３】複数のダイジェスターが、本発明の主題による廃水処理システムに投入され得る、スペントウォッシュなどの廃水を地上タンクに供給することができることを示すプロセスフロー図である。
【図１４】例としての実施形態による例としての加熱要素および関連寸法を示す。
【図１５】例としての実施形態による例としての加熱要素および関連寸法を示す。
【図１６】例としての実施形態による例としての加熱要素および関連寸法を示す。
【図１７】追加のユニットを追加することによって任意の必要な処理能力に調整することができるモジュール式処理システムを示す。
【図１８】追加のユニットを追加することによって任意の必要な処理能力に調整することができるモジュール式処理システムを示す。
【図１９】追加のユニットを追加することによって任意の必要な処理能力に調整することができるモジュール式処理システムを示す。
【図２０】追加のユニットを追加することによって任意の必要な処理能力に調整することができるモジュール式処理システムを示す。
【図２１】追加のユニットを追加することによって任意の必要な処理能力に調整することができるモジュール式処理システムを示す。
【００２０】
〔詳細な説明〕
ここで、本明細書に開示されるシステム、装置、および方法の構造、機能、製造、および使用の原理の全体的な理解を提供するために、特定の例示的な実施形態について説明する。これらの実施形態の１つ以上の例が添付図面に示されている。本明細書に具体的に記載され、添付図面に示されるシステム、装置、および方法は、非限定的な例示的実施形態であり、本発明の範囲は、特許請求の範囲によってのみ定められることを当業者は理解するであろう。１つの例示的な実施形態に関連して図示または説明される特徴は、他の実施形態の特徴と組み合わせることができる。このような変更および変形は、本発明の範囲内に含まれることが意図されている。さらに、本開示では、実施形態の類似の名称の構成要素は一般に類似の特徴を有し、したがって、特定の実施形態内では、類似の名称の各構成要素の各特徴は必ずしも完全には詳述されていない。
【００２１】
上述のように、スペントウォッシュは、蒸留アルコール生成から生じる副産物である。スペントウォッシュは酸性で、生化学的酸素要求量（ＢＯＤ）および化学的酸素要求量（ＣＯＤ）が高い。石油精製所などの産業プロセスで発生する他の廃水流も同様に酸性であり得、かつ／または、高いＢＯＤおよびＣＯＤを有し得る。廃水が未処理のまま環境中に放出されると、酸性度を高め、溶存酸素を消費することで水源を汚染する場合があり、これにより、水生生物および他の生物を危険にさらす可能性がある。本発明の主題は、廃水からの栄養素をより安全に利用できるように、ＢＯＤおよびＣＯＤが高い廃水を処理することに関する。一実施形態では、廃水処理システムが提供される。廃水処理システムは、直列に結合された分離器容器のアレイを含むことができる。分離器容器のアレイは、蒸留および電気凝固プロセスの組み合わせを用いて、廃水の固体部分および液体部分を分離するように構成することができる。蒸留および電気凝固プロセスは、最小限の可動部で機能することができ、それによって、処理システムの単純化されたデザインを容易にする。廃水を固体部分と液体部分に分離することで、各部分がさらに容易に管理され得る。例えば、廃水からの固体物質を肥料として使用することができる。廃水の液体部分を処理することができる。
【００２２】
本発明の主題は、所与の段階で液体を蒸発／分離するのに使用される熱を加熱または補充するために前の段階の出力ストリームを使用する、蒸発器／分離器のカスケードを含むことができる。前の段階の出力を熱源として使用することにより、熱エネルギーを再利用することができ、よって、システムのエネルギー需要およびコストを低減させる。エネルギー需要が低いため（例えば、より高い効率）、以前は実現不可能であったいくつかの適用に蒸発器を利用することができる。
【００２３】
図１は、使用済み廃棄物または石油精製所から出力された廃棄物などの廃水を処理するように構成され得る処理システム１００の一例を示す。図示の例では、処理システム１００は、廃水を処理するように構成されたダイジェスター１０２と、廃水の液体部分と固体部分とを分離するように構成され得る分離器システム１０４とを含む。最初に、ポンプ１０６が、廃水１０８をダイジェスター１０２から受け取り、廃水１０９を予備分離器１１０にポンプで送る。予備分離器１１０は、不溶性固体物質の一部１１２を廃水１０９から分離するように機能する。いくつかの実施形態では、予備分離器１１０は、求心力と流体抵抗との比率に基づいて、廃水中の固体を分類、分離、および／または選別するように構成することができる。例示的な実施形態では、予備分離器１１０は、ハイドロサイクロンとすることができる。ハイドロサイクロンは、廃水１０９を受け取り、入ってくる廃水１０９をハイドロサイクロンの円筒状または円錐状の表面の周りに接線方向に向け、それによって、ハイドロサイクロン内の廃水に作用する反応性遠心力を発生するように構成され得る。反応性遠心力は、廃水の成分を密度に基づいて分離させることができる。例えば、より高濃度の固体物質を含有する部分のような、廃水のより高密度の成分を、より高濃度の液体を含有する廃水の部分のような、廃水のより低密度の部分から分離することができる。
【００２４】
図示の例では、予備分離器１１０は、主に固体物質を含有する廃水１０９の部分１１２を固体貯蔵容器１１４に供給することができる。予備分離器１１０は、廃水１０９の残りの部分１１６を分離器システム１０４に供給することができる。廃水の残りの部分１１６は、予備分離器１１０に入った廃水１０９よりも低い濃度の固体物質を含有することができる。
【００２５】
分離システム１０４は、廃水の一部１１６を受け取ることができ、蒸留および凝集プロセスの組み合わせを使用して、廃水の固体および液体を分離することができる。分離器システム１０４は、廃水の固体部分１１８および液体部分１２０をそれぞれ固体貯蔵容器１１４および液体貯蔵容器１２２に提供することができる。
【００２６】
いくつかの実施形態では、処理システム１００は、処理システム１００の動作状態を監視するように構成されたセンサを含むことができる。例えば、処理システム１００は、処理システム１００全体の様々な場所に配置することができる流量計、圧力計、温度センサ、ｐＨ計などを含むことができる。処理システムはまた、処理システムの動作を容易にするように構成された様々な機能構成要素を含むことができる。例えば、処理システム１００は、ポンプ、ブロワー、弁、および電気凝固装置を含むことができる。いくつかの実施形態では、処理システム１００のセンサおよび機能構成要素は、コントローラ１２４によって監視および／または制御することができる。例えば、コントローラ１２４は、センサによって提供される動作状態を監視することができ、動作値（operating values）が所望の限度内に維持されることを確実にするために機能構成要素の動作を調整することができる。
【００２７】
図２は、廃水を処理するように構成することができる処理システム２００の例示的な実施形態の詳細図を示す。図２に示すように、処理システム２００は、ダイジェスター２０２、ポンプ２０６、予備分離器２１０、および分離器システム２０４を含むことができ、分離器システムは、主要分離器容器２４０および二次分離器容器２４２を含む。ダイジェスター２０２は、予備分離器２１０および分離器システム２０４への送達に先立って廃水を処理するように構成することができる。例えば、ダイジェスター２０２は、廃水内の固体を切断し、廃水を混合して固体成分および液体成分の均一な分布を確保するように構成することができる。ポンプ２０６は、ダイジェスター２０２から廃水を受け取り、予備分離器２１０および分離器システム２０４に処理すべき廃水を供給するように構成することができる。予備分離器２１０および分離器システム２０４は、廃水混合物を固体部分および液体部分に分離し、固体部分および液体部分をそれぞれ固体貯蔵容器２１４および液体貯蔵容器２２２に提供するように構成することができる。いくつかの実施形態では、処理システム２００は、以下により詳細に記載されるように、センサデータを監視し、センサデータに基づいて処理システム２００の動作を調整するように構成され得るコントローラ２２４を含むことができる。
【００２８】
図２に示すように、処理システム２００は、例えば、流量計２２６および水素イオン指数（ｐＨ）計２２８などのセンサを含むことができ、これらのセンサは、ダイジェスター２０２とポンプ２０６との間の流路２０８に沿って配置される。本明細書に記載されるように、流路（例えば、流路２０８）は、パイプ、チューブ、フローチャネルなどであり得る。流量計２２６は、ポンプ２０６に送達される廃水の量および／または流量を測定するように構成することができる。ｐＨ計２２８は、ポンプ２０６に送達される廃水の酸性度の値を測定するように構成することができる。処理システム２００はまた、流路２０８に沿ってダイジェスター２０２とポンプ２０６との間に配置された弁２２５を含むことができる。弁２２５は、ダイジェスター２０２からポンプ２０６への廃水の流れを制御するように構成することができる。
【００２９】
いくつかの実施形態では、処理システム２００は、圧力解放弁２３０を含むことができ、圧力解放弁は、ダイジェスター２０２とポンプ２０６との間で流路２０８に結合される。圧力解放弁２３０は、ダイジェスター２０２とポンプ２０６との間の廃水の圧力が所定値を超えると自動的に開くように構成することができる。圧力解放弁２３０が開いているとき、流路２０８は、圧力解放流路２３２と流体連通することができ、それによって、廃水は、ダイジェスター２０２とポンプ２０６との間の流路２０８から圧力解放流路２３２に流れることができる。
【００３０】
図３は予備分離器２１０と分離器システム２０４の拡大図を示す。予備分離器２１０は、廃水混合物から不溶性固体物質の一部を分離するように機能する。いくつかの実施形態では、予備分離器２１０は、求心力と流体抵抗との比率に基づいて、廃水中の固体を分類、分離、および／または選別するように構成することができる。例示的な実施形態では、予備分離器２１０は、ハイドロサイクロンとすることができる。図３に示すように、予備分離器２１０は、レベル計２３４と、圧力計２３６と、温度センサ２３８とを含むことができる。レベル計２３４は、予備分離器２１０内の廃水の量を測定するように構成することができる。温度センサ２３８および圧力計２３６は、それぞれ予備分離器２１０内の廃水の温度および圧力を測定するように構成することができる。図示の例では、予備分離器２１０は、主に不溶性固体物質を含有し得る廃水の部分をポンプ（例えばオーガーまたはスクリュー）２３１に供給することができる。いくつかの実施形態では、予備分離器２１０は、弁２３３（例えば、ボール弁）を含むことができ、この弁は、予備分離器２１０からポンプ２３１への流れを制御するように構成することができる。弁２３３は、コントローラ２２４と電子通信することができ、コントローラ２２４は弁２３３の動作を制御できる。ポンプ２３１は、固体物質を圧縮ユニット２２９に供給することができ、この圧縮ユニットは、固体廃棄物を圧縮して固体貯蔵容器２１４に送達するように構成することができる。いくつかの実施形態では、圧力解放弁２３０は、図２に示すように、圧縮ユニット２２９と固体貯蔵容器２１４との間に配置することができる。
【００３１】
圧力解放弁２３０は、固体物質が圧縮ユニット２２９内で所定の圧力まで圧縮されたときに自動的に開くように構成することができる。予備分離器２１０は、廃水の残りの部分を別の流路２１６を介して分離器システム２０４に供給することができる。弁２４４ａを予備分離器２１０と分離器システム２０４との間に配置することができる。弁２４４ａは、二次分離器容器２４２の入口２７０に結合することができ、予備分離器２１０と分離器システム２０４との間の廃水混合物の流れを制御するように構成することができる。いくつかの実施形態では、ブロワー２７２は、入口２７０に隣接する二次分離器容器２４２に結合され得る。
【００３２】
分離システム２０４システムは、蒸留および電気凝固（ＥＣ）プロセスの組み合わせを使用して、廃水の液体部分および固体部分を分離するように構成することができる。図示の例では、分離器システム２０４は、主要分離器容器２４０および二次分離器容器２４２を含む。二次分離器容器２４２は、予備分離器２１０から廃水混合物を受け取るように構成することができる。二次分離器容器２４２は、主要分離器容器２４０と流体連通することができる。弁２４４ｃは、主要分離器容器２４０と二次分離器容器２４２との間に配置することができる。弁２４４ｃは、主要分離器容器２４０と二次分離器容器２４２との間の廃水混合物の流れを制御するように構成することができる。このため、二次分離器容器に送達された廃水も主要分離器容器２４０に流入することができる。二次分離器容器２４２については、以下でさらに詳細に説明する。
【００３３】
図４は、主要分離器容器２４０の拡大図を示す。図示の例に示すように、主要分離器容器２４０は、本体２４６を含むことができ、この本体は、入口２４８を介して二次分離器２４２から廃水混合物を受け取るように構成することができる。入口２４８は、図３〜図４に示すように、弁２４４ｃに結合され得る。主要分離器容器２４０の本体２４６はまた、加熱要素２５０、マグネトロン２５２、デミスタ２５４、凝縮器２５６、および電気凝固（ＥＣ）ユニット２５８を含むことができる。
【００３４】
加熱要素２５０およびマグネトロン２５２は、廃水の液体部分が蒸発するように、本体２４６内にある廃水混合物を加熱するように構成することができる。例えば、いくつかの実施形態では、加熱要素２５０は、熱を生成し、廃水混合物の一部が蒸発するように、熱の少なくとも一部を廃水混合物に伝達するように構成することができる。いくつかの実施形態では、加熱要素２５０は、例えば、廃水処理システム２０４内またはその近くに位置する別の産業プロセスから調達することができる。例えば、冷却される必要がある石油精製プロセスの出力ストリームは、廃水処理システム２０４を通して循環され、熱源として使用され得る。いくつかの実施形態では、加熱要素２５０は、（例えば、加熱要素２５０を通過する電流が加熱要素２５０の温度を上昇させるような高い抵抗を有する）電気加熱要素を含むことができる。
【００３５】
いくつかの実施形態では、加熱要素２５０は、加熱のための他の手段を含むことができる。例えば、加熱要素２５０は、産業廃棄物プロセスおよび／またはガス炉によって生成されるような高温または低温の液体を循環させるパイプを含むことができる。いくつかの実施形態では、加熱源は、産業プロセスおよび／またはガス炉を含むことができ、液体を加熱要素２５０に供給することができる。他の実施形態では、加熱要素２５０は、赤外線吸収材料の層を含むことができ、加熱源は、赤外線が加熱要素２５０に衝突するように配置された赤外線源を含むことができる。この赤外線の衝突により、加熱要素２５０の温度を上昇させることができる。いくつかの実施形態では、太陽光を加熱源として使用することができる。他の実施形態では、加熱要素２５０は、電磁吸収材料の層を含むことができ、加熱源１４０は、容器１０５内に配置された電磁発電機を含むことができる。
【００３６】
マグネトロン２５２は、マイクロ波を生成し、マイクロ波の少なくとも一部を本体２４６内の廃水混合物に向けるように構成することができる。いくつかの実施形態において、マグネトロン２５２によって生成されるマイクロ波は、廃水混合物、および廃水混合物から形成される蒸気を加熱することができる。一例として、マグネトロン２５２は、電子の流れと磁場との間の相互作用を用いてマイクロ波を生成するように構成された真空管であってもよく、または真空管を含んでもよい。電子は、マグネトロン２５２の金属空洞内の開口部付近を通ることができ、これにより、空洞内でマイクロ波を含む電波を振動させることができる。生成されるマイクロ波の周波数は、空洞の物理的寸法によって決定される。加熱要素２５０およびマグネトロン２５２は、コントローラ２２４と電子通信することができる。コントローラ２２４は、加熱要素２５０およびマグネトロン２５２に電力を供給し、その動作を制御することができる。
【００３７】
凝縮器２５６は、二次分離器容器２４２内の廃水から形成された蒸気などの蒸気を受け取り、蒸気を凝縮して液体を形成し、（図２に示す）流路２６２を介して液体貯蔵容器２２２に液体を送達するように構成することができる。いくつかの実施形態では、凝縮器２５６と流体連通しているブロワー２６４は、蒸気を、二次分離器容器２４２から流路２６８を介して凝縮器２５６に送ることができる。凝縮器２５６内の蒸気から熱を抽出することができ、蒸気を凝縮させて液体を形成する。凝縮器内の蒸気から抽出された熱は、主要分離器容器２４０内の廃水混合物および／または主要分離器容器２４０内の廃水混合物から形成された蒸気に伝達することができる。
【００３８】
デミスタ２５４は、本体２４６内の廃水混合物の所定の最大レベルまたは高さより上に配置することができる。デミスタ２５４は、廃水混合物から形成された蒸気に同伴された液滴を除去するように構成することができる。一例として、デミスタ２５４は、同伴液体が蒸気から分離できるように、同伴液体を小滴に凝集させるように構成されたメッシュ型コアレッサー（mesh-type coalesce）、ベーンパック（vane pack）、または他の構造体とすることができる。デミスタによって捕捉された小滴は、ＥＣユニット２５８に向かって降下し、主要分離器容器２４０内で液体および固体を含む廃水混合物と再結合することができる。主要分離器容器２４０内で発生した蒸気は、流路２６６を介して二次分離器容器の凝縮器２５７に供給することができる。
【００３９】
ＥＣユニット２５８は、廃水混合物から懸濁固体および乳化油を除去するように構成することができる。ＥＣユニット２５８は、廃水混合物からの懸濁固体の除去を可能にする、いくつかのＥＣセル２６０を含むことができる。ＥＣセル２６０はまた、エマルジョンを破壊し、廃水混合物からの重金属を酸化および根絶するために機能することができる。各ＥＣセル２６０は、アノードおよびカソードを含むことができる。ＥＣセル２６０を含むＥＣユニット２５８は、直流電源を含むコントローラ２２４に結合することができる。コントローラ２２４は、カソードが負に帯電するようにアノードとカソードとの間に電圧差を印加することができる。この電圧差は、金属イオン（例えばカチオン）がアノードから廃水中に放出され得るように、アノードの酸化を引き起こし得る。金属イオンは、廃水混合物内の粒子の電荷を中和することができ、それによって凝固を引き起こす。電圧差の大きさは、アノードの酸化速度を決定し、それによって、廃水混合物内の凝固粒子の速度を決定することもできる。例えば、金属イオンは、化学反応および沈殿によって、および／または廃水混合物中のコロイドを合体させることによって、望ましくない汚染物質の除去を可能にすることができる。さらに、カソードの表面上で、廃水混合物中の水は、水素ガスおよび水酸化物イオンに加水分解され得る。電子は自由に流れて、廃水混合物中の懸濁固体および乳化油上の表面電荷を不安定にし得る。金属イオンは、水酸化物イオンと結合し、凝固剤として機能し得る高分子金属水酸化物を形成することができる。金属水酸化物は、廃水混合物中の懸濁固体および乳化油を捕捉することができる。
【００４０】
図示の例では、主要分離器容器２４０は、凝固した汚染物質をポンプ２３１に送達することができる。図４に示すように、主要分離器容器２４０は、弁２４３（例えば、ボール弁）を含むことができ、この弁は、主要分離器容器２４０からポンプ２３１への流れを制御するように構成することができる。弁２４３は、コントローラ２２４と電子通信することができ、コントローラ２２４が弁２４３の動作を制御し得る。ポンプ２３１は、凝固した汚染物質を（図２に示す）圧縮ユニット２２９に送達するように構成することができる。圧縮ユニット２２９は、凝固した汚染物質を圧縮し、圧縮された凝固した汚染物質を固体貯蔵容器２１４に送達することができる。
【００４１】
図３〜図４に示すように、主要分離器容器２４０はまた、圧力計２３７、温度センサ２３９、２４１、およびレベル計２３５を含むことができる。圧力計２３７は、主要分離器容器２４０内の廃水混合物および／または蒸気の圧力を測定するように構成することができる。温度センサ２３９、２４１は、主要分離器容器２４０内の温度を測定するように構成することができる。レベル計２３５は、主要分離器容器２４０内の廃水の量を測定するように構成することができる。圧力計２３７、温度センサ２３９、２４１、およびレベル計２３５は、コントローラ２２４に電気的に結合することができる。圧力計２３７、温度センサ２３９、２４１、およびレベル計２３５は、コントローラ２２４にデータを提供するように構成することができる。コントローラ２２４は、圧力計２３７、温度センサ２３９、２４１、およびレベル計２３５からのデータを監視するように構成することができる。
【００４２】
運転中、主要分離器容器２４０内の廃水混合物からの蒸気は、流路２６６を介して二次分離器容器２４２に送達され得る。図５は、二次分離器容器２４２の拡大図を示す。図示の例に示すように、二次分離器容器２４２は本体２５３を含むことができる。本体２５３は、主要分離器容器２４０および予備分離器２１０と流体連通することができる。二次分離器容器２４２の本体２５３は、凝縮器２５７と、ＥＣユニット２５９と、デミスタ２５５とを含むことができる。
【００４３】
ブロワー２６５は、蒸気を主要分離器容器２４０から流路２６６を介して吸引することができ、蒸気を凝縮器２５７に供給することができる。凝縮器２５７は、主要分離器容器２４０から蒸気を受け取り、蒸気を凝縮して液体を形成し、（図２に示す）流路２６２を介して液体貯蔵容器２２２に液体を送達するように構成することができる。凝縮器２５７内の蒸気から熱を抽出することができ、蒸気を凝縮させて液体を形成する。凝縮器２５７内の蒸気から抽出された熱は、二次分離器容器２４２内の廃水混合物および／または二次分離器容器２４２内の廃水混合物から形成された蒸気に伝達することができる。二次分離器容器２４２内の廃水に伝達される熱は、廃水の一部を蒸発させることができる。上述したように、図３〜図４に示すブロワー２６４は、二次分離器容器２４２から流路２６８を介して一次分離器容器内の凝縮器２５６に蒸気を送り込むことができる。
【００４４】
ＥＣユニット２５９は、本明細書に記載されるように、一般に、ＥＣユニット２５８と同様に機能することができる。ＥＣユニット２５９は、廃水混合物から懸濁固体および乳化油を除去するように構成することができる。ＥＣユニット２５９は、廃水混合物からの懸濁固体の除去を容易にする、いくつかのＥＣセル２６１を含むことができる。ＥＣセル２６１はまた、ＥＣセル２６０に関して上述したように、エマルジョンを破壊し、廃水混合物からの重金属を酸化および根絶するように機能することができる。図示の例では、二次分離器容器２４２は、凝固した汚染物質をポンプ２３１に送達することができる。図５に示すように、二次分離器容器２４２は、弁２４５（例えば、ボール弁）を含むことができ、この弁は、二次分離器容器２４２からポンプ２３１への流れを制御するように構成することができる。弁２４５は、コントローラ２２４と電子通信することができ、コントローラ２２４が弁２４５の動作を制御できる。ポンプ２３１は、凝固した汚染物質を（図２に示す）圧縮ユニット２２９に送達するように構成することができる。圧縮ユニット２２９は、凝固した汚染物質を圧縮し、圧縮された凝固した汚染物質を固体貯蔵容器２１４に送達することができる。
【００４５】
図５に示すように、二次分離器容器２４２はまた、圧力計２４７、温度センサ２４９、２５１、および本体２５３に結合され得るレベル計２６３を含むことができる。圧力計２４７は、二次分離器容器２４２内の廃水混合物および／または蒸気の圧力を測定するように構成することができる。温度センサ２４９、２５１は、二次分離器容器２４２内の温度を測定するように構成することができる。レベル計２６３は、二次分離器容器２４２内の廃水の量を測定するように構成することができる。圧力計２４７、温度センサ２４９、２５１、およびレベル計２６３は、コントローラ２２４に電気的に結合することができる。圧力計２４７、温度センサ２４９、２５１、およびレベル計２６３は、コントローラ２２４にデータを提供するように構成することができる。コントローラ２２４は、圧力計２４７、温度センサ２４９、２５１、およびレベル計２６３からのデータを監視するように構成することができる。
【００４６】
いくつかの実施形態では、ガスの混合物をプロセスから収集し、かつ／または再利用することができる。例えば、ガス収集ユニット、化学タンク、および／またはボイラー用燃料など。
【００４７】
いくつかの実施形態では、細菌除去ユニットを、ハイドロサイクロン２１０の下流に含めることができる。細菌除去ユニットは、ストリームを処理して、例えば紫外線または別の手段を介して、細菌を除去することができる。
【００４８】
図６は、廃水処理システム６００の別の例としての実施形態を示す。この例としての実施形態では、廃水処理システム６００は、効率を改善するためにカスケード接続された４つの二次分離器を含む。図７は、４つの二次分離器を有する分離器システム２０４の拡大図を示す。
【００４９】
分離器システム２０４システムは、蒸留および電気凝固（ＥＣ）プロセスの組み合わせを使用して、スペントウォッシュの液体部分および固体部分を分離するように構成することができる。図示の例では、分離器システム２０４は、主要分離器容器２４０と、一連の二次分離器容器２４２ａ、２４２ｂ、２４２ｃ、２４２ｄとを含む。主要分離器容器２４０は、一連の二次分離器容器２４２ａ、２４２ｂ、２４２ｃ、２４２ｄに流体連結することができる。二次分離器容器２４２ａ、２４２ｂ、２４２ｃ、２４２ｄのそれぞれは、隣接する二次分離器容器２４２ａ、２４２ｂ、２４２ｃ、２４２ｄと流体連通することができる。弁２４４ｂは、各二次分離器容器２４２ａ、２４２ｂ、２４２ｃ、２４２ｄの間に配置することができる。弁２４４ｂは、二次分離器容器２４２ａ、２４２ｂ、２４２ｃ、２４２ｄの間のスペントウォッシュ混合物の流れを制御するように構成することができる。弁２４４ｃは、主要分離器容器２４０と隣接する二次分離器容器２４２ａとの間に配置することができる。弁２４４ｃは、主要分離器容器２４０と二次分離器容器２４２との間のスペントウォッシュ混合物の流れを制御するように構成することができる。
【００５０】
図８は、本発明の主題のいくつかの態様による例としての実施形態の仕様を示す表である。図８の表は、本発明の主題のいくつかの態様および各部分の例示的な仕様に従って、５つの分離器容器（例えば、主要分離器と４つの二次的分離器）を有する例示的な処理システムを実施するためのいくつかの機械的、電気的、および電子的構成要素を列挙している。例えば、分離器容器（清浄器として列挙されている）は軟鋼材料から作られてもよく、各吸引ブロワーは３０〜４０ｍ３／時の流量能力を有してもよく、加熱要素はそれぞれ５ｋＷの出力電力を有してもよい。本開示は、この例示的な仕様に限定されず、処理システムは、処理能力、処理のための液体および固体物質の種類などのような種々の設計考慮事項に基づいて設計されてもよい。
【００５１】
いくつかの実施形態では、分離器容器は、２０１８年５月１８日に公開された米国特許出願公開第２０１８／０１３４５７８号に記載されているものと同様に配置することができ、その内容全体を参照により本明細書に明示的に組み込む。
【００５２】
本明細書に記載される主題は、糖蜜またはスペントウォッシュ施設内での適用に限定されるものではなく、石油およびガス精製所のような高いＢＯＤおよび／またはＣＯＤを有する任意の液体廃棄物に適用することができる。追加の適用例としては、酸性鉱山排水、バラスト水、浴室廃棄物、黒水（石炭）、黒水（廃棄物）、ボイラーブローダウン、塩水、複合下水管、冷却塔、冷却水、糞便スラッジ、グレーウォーター、浸透／流入物、産業排水、イオン交換、浸出液、肥料、製紙、戻り流、逆浸透、衛生下水管、浄化槽内の汚物、下水、下水汚泥、都市排水などの分野が挙げられる。
【００５３】
さらに、本発明の主題は、２、３、４、５、６、７、８、９、１０以上などの任意の数のカスケード接続された分離器を含むことができる。ここで、各分離器の参照は、分離器の順序、または分離器の上流−下流の関係を記述するものではない。例えば、二次分離器を第１の分離器と称することができ、主要分離器を第２の分離器と称することができる。任意の数のカスケード接続された分離器を有する構成の場合、システムは、合計ｎ個の分離器（ｎは自然数である；ｎ≧２）を含むことができ、第ｉの分離器（ｉは任意の自然数である；２≦ｉ≦ｎ）の場合、第ｉの分離器は、第（ｉ−１）の分離器と連通し、第ｉの分離器は、第（ｉ−１）の分離器から廃水の第ｉの部分を受け取り、廃水の第ｉの部分を、第ｉの蒸気および第ｉの固体物質に分離するように構成され、第ｉの分離器は、第ｉの凝縮器および第ｉの電気凝固ユニットを含む。第ｎの分離器は、熱を生成し、その熱を廃水の第ｎの部分に伝達するように構成された加熱要素を含むことができ、第（ｎ−１）の蒸気からの熱および加熱要素からの熱は、廃水の第ｎの部分の少なくとも一部を蒸発させ、それによって第ｎの分離器内に第ｎの蒸気を形成する。さらにまたは代替的に、第ｎの分離器は、マイクロ波を生成し、マイクロ波の少なくとも一部を第ｎの分離器内の廃水の第ｎの部分に向け、それによって廃水の第ｎの部分を加熱するように構成されたマグネトロンをさらに含むことができる。第１〜第ｎの分離器の少なくとも１つまたは全ては、蒸気内に同伴された液滴を除去するように構成されたデミスタを含むことができる。
【００５４】
図９〜図１２は、石油精製施設で実施される本発明の主題の例としての実施形態を示す。図９は、本開示による廃水処理システムの例としての実施形態の概要を示す。図９を参照すると、５つの分離器容器９０１をダイジェスター９０２の近傍に配置することができる。ダイジェスター９０２から供給された廃水は、分離器容器９０１内で処理および分離してもよい。処理後、固体部分および液体部分を、固体貯蔵容器９０３および液体貯蔵容器９０４それぞれに貯蔵してもよい。図１０は、説明のために内部構成要素を示す分離器容器の拡大図である。図１１および図１２は、分離器容器、それらの支持システム、および流体接続ラインを、２つの異なる視角から示す。
【００５５】
図１３は、複数のダイジェスターが、本発明の主題による廃水処理システムに投入され得る、スペントウォッシュなどの廃水を地上タンクに供給することができることを示すプロセスフロー図である。システムの出力は、例えばガス収集ユニット、化学タンク、および／またはボイラー用燃料を介して収集および／または再利用することができる、生産水ならびにガスの混合物を含むことができる。
【００５６】
図１４〜図１６は、例としての実施形態による、例としての加熱要素および関連する寸法を示す。図１４に示すように、複数の加熱要素を単一の分離器内に配置して、必要な加熱電力を得ることができる。特に、複数の加熱要素は、直列または並列に電気的に接続されてもよい。各加熱要素は、分離器のサイズに基づいて、図１５および図１６に示すように、適切な寸法を有することができる。
【００５７】
図１７〜図２１は、追加のユニットを追加することによって任意の必要な処理能力に調整することができるモジュール式処理システムを示す。図示されたモジュール式処理システムは、ハイドロサイクロンから下流に細菌除去ユニット１７０５を含む。
【００５８】
上記では、いくつかの変形例を詳細に説明したが、他の変更または追加も可能である。
【００５９】
本明細書に記載される主題の１つ以上の態様または特徴は、デジタル電子回路、集積回路、特別に設計された特定用途向け集積回路（ＡＳＩＣ）、フィールドプログラマブルゲートアレイ（ＦＰＧＡ）コンピュータハードウェア、ファームウェア、ソフトウェア、および／またはそれらの組み合わせにおいて実現することができる。これらの様々な態様または特徴は、少なくとも１つのプログラム可能なプロセッサを含むプログラム可能なシステム上で実行可能および／または解釈可能な１つ以上のコンピュータプログラムにおける実装を含むことができ、このプロセッサは、記憶システム、少なくとも１つの入力装置、および少なくとも１つの出力装置からデータおよび命令を受信するように、かつこれらにデータおよび命令を送信するように結合された特殊または汎用のプログラム可能なプロセッサである。プログラム可能なシステムまたはコンピューティングシステムは、クライアントおよびサーバを含むことができる。クライアントおよびサーバは、一般に互いに離れており、通常、通信ネットワークを介して相互作用する。クライアントとサーバの関係は、各コンピュータ上で実行され、互いにクライアント−サーバ関係を有するコンピュータプログラムによって生じる。
【００６０】
プログラム、ソフトウェア、ソフトウェアアプリケーション、アプリケーション、コンポーネント、またはコードとも呼ばれ得るこれらのコンピュータプログラムは、プログラム可能なプロセッサのためのマシン命令を含み、高水準手続き言語、オブジェクト指向プログラミング言語、機能プログラミング言語、論理プログラミング言語、および／またはアセンブリ／マシン言語で実装することができる。本明細書で使用される場合、用語「機械可読媒体」は、機械命令および／またはデータをプログラム可能なプロセッサに提供するために使用される、任意のコンピュータプログラム製品、器具および／または装置、例えば、磁気ディスク、光ディスク、メモリ、およびプログラマブル論理装置（ＰＬＤ）を指し、機械可読信号として機械命令を受信する機械可読媒体を含む。用語「機械可読信号」は、プログラム可能なプロセッサに機械命令および／またはデータを提供するために使用される任意の信号を指す。機械可読媒体は、例えば、非一時的固体メモリまたは磁気ハードドライブまたは任意の同等の記憶媒体と同様に、そのような機械命令を非一時的に記憶することができる。機械可読媒体は、代替的または追加的に、例えば、１つ以上の物理プロセッサコアに関連するプロセッサキャッシュまたは他のランダムアクセスメモリなどと同様に、一時的に、そのような機械命令を格納することができる。
【００６１】
ユーザとの対話を提供するために、本明細書に記載される主題の１つ以上の態様または特徴は、ユーザに情報を表示するための例えば陰極線管（ＣＲＴ）または液晶ディスプレイ（ＬＣＤ）または発光ダイオード（ＬＥＤ）モニタのような表示装置、ならびに、ユーザがコンピュータに入力を提供することができる、キーボードおよびポインティングデバイス、例えばマウスまたはトラックボール、を有するコンピュータ上で実施することができる。他の種類の装置を使用して、ユーザとの対話を提供することもできる。例えば、ユーザに提供されるフィードバックは、視覚フィードバック、聴覚フィードバック、または触覚フィードバックのような任意の形態の感覚フィードバックであり得、ユーザからの入力は、音響的、音声的、または触覚的な入力を含む任意の形式で受信することができる。他の可能な入力装置は、タッチスクリーンまたは他のタッチセンシティブデバイス、例えば、単一点または多点の抵抗性または容量性トラックパッド、音声認識ハードウェアおよびソフトウェア、光学スキャナ、光学ポインタ、デジタル画像キャプチャデバイスおよび関連する解釈ソフトウェアなどを含む。
【００６２】
上記の説明および特許請求の範囲において、「〜のうちの少なくとも１つ」または「〜のうちの１つ以上」のような句は、連結的な要素または特徴のリストに続いて生じ得る。「および／または」という用語は、２つ以上の要素または特徴のリスト中に存在してもよい。使用される文脈によって別段暗黙的または明示的に矛盾しない限り、そのような句は、列挙された要素または特徴のいずれかを個別に、または列挙された要素または特徴のいずれかを、その他の列挙された要素または特徴のいずれかと組み合わせたものを意味することを意図する。例えば、「ＡおよびＢのうちの少なくとも１つ」、「ＡおよびＢのうちの１つ以上」および「Ａおよび／またはＢ」という語句は、それぞれ、「Ａ単独、Ｂ単独、またはＡとＢの併用」を意味することを意図している。同様の解釈は、３つ以上の項目を含むリストについても意図されている。例えば、「Ａ、Ｂ、およびＣのうちの少なくとも１つ」、「Ａ、Ｂ、およびＣのうちの１つ以上」、および「Ａ、Ｂおよび／またはＣ」という語句は、それぞれ「Ａ単独、Ｂ単独、Ｃ単独、ＡとＢの併用、ＡとＣの併用、ＢとＣの併用、またはＡとＢとＣの併用」を意味することを意図している。さらに、上記および特許請求の範囲における「〜に基づく」という用語の使用は、記載されていない特徴または要素も許容されるように、「〜に少なくとも部分的に基づく」を意味することを意図している。
【００６３】
本明細書に記載の主題は、所望の構成に応じて、システム、器具、方法、および／または物品において具現化することができる。前述の説明に記載される実施形態は、本明細書に記載される主題と一致する全ての実施形態を表すものではない。代わりに、それらは、記載された主題に関連する態様と一致する単なるいくつかの例である。上記では、いくつかの変形例を詳細に説明したが、他の変更または追加も可能である。特に、本明細書に記載されたものに加えて、さらなる特徴および／または変形を提供することができる。例えば、上述の実施形態は、開示された特徴の様々な組み合わせおよび部分的組み合わせ、ならびに／または前記に開示された、いくつかのさらなる特徴の組み合わせおよび部分的組み合わせに向けることができる。さらに、添付の図面に描かれ、かつ／または本明細書に記載された論理フローは、望ましい結果を達成するために、必ずしも示された特定の順序または連続した順序を必要としない。他の実施形態は、特許請求の範囲内であり得る。
【００６４】
〔実施の態様〕
（１）  システムにおいて、
廃水を受け取り、前記廃水の第１の部分を保持し、前記廃水の前記第１の部分を第１の蒸気および第１の固体物質に分離するように構成された第１の分離器と、
前記第１の分離器と流体連通している第２の分離器と、
を含み、
前記第２の分離器は、前記第１の分離器から前記廃水の第２の部分を受け取り、前記廃水の前記第２の部分を第２の蒸気および第２の固体物質に分離するように構成され、
前記第２の分離器は、
前記第１の分離器と流体連通している第１の凝縮器であって、前記第１の凝縮器は、前記第１の分離器から前記第１の蒸気を受け取り、前記第１の蒸気からの熱を前記廃水の前記第２の部分に伝達し、それによって前記第１の蒸気を第１の液体に凝縮するように構成されている、第１の凝縮器と、
熱を生成し、前記熱を前記廃水の前記第２の部分に伝達するように構成された加熱要素であって、前記第１の蒸気からの熱および前記加熱要素からの熱は、前記廃水の前記第２の部分の少なくとも一部を蒸発させ、それによって前記第２の分離器内に前記第２の蒸気を形成する、加熱要素と、
前記廃水の前記第２の部分と接触する第１のアノードおよび第１のカソードを含む少なくとも１つの第１の電気凝固セルを有する第１の電気凝固ユニットであって、前記少なくとも１つの第１の電気凝固セルは、前記廃水の前記第２の部分から懸濁固体を分離するように構成され、分離された前記懸濁固体は、前記第２の固体物質の少なくとも一部を形成する、第１の電気凝固ユニットと、
を含む、システム。
（２）  前記第１の分離器は、前記第２の分離器と流体連通している第２の凝縮器を含み、前記第２の凝縮器は、前記第２の分離器から前記第２の蒸気を受け取り、前記第２の蒸気からの熱を前記廃水の前記第１の部分に伝達し、それによって前記第２の蒸気を第２の液体に凝縮するように構成されている、実施態様１に記載のシステム。
（３）  前記第１の分離器は、前記廃水の前記第１の部分と接触する少なくとも１つの第２の電気凝固セルを有する第２の電気凝固ユニットを含み、前記少なくとも１つの第２の電気凝固セルは、前記廃水の前記第１の部分から懸濁固体を分離するように構成され、分離された前記懸濁固体は、前記第１の固体物質の少なくとも一部を形成する、実施態様２に記載のシステム。
（４）  前記加熱要素および前記第１の電気凝固と電子通信するコントローラをさらに含み、前記コントローラは、前記加熱要素によって生成される熱の量を制御し、前記少なくとも１つの第１の電気凝固セルの前記第１のアノードと前記第１のカソードとの間の第１の電圧差を制御するように構成され、前記第１の電圧差は、前記懸濁固体が前記廃水の前記第２の部分から分離される速度を決定する、実施態様１に記載のシステム。
（５）  前記第２の分離器は、マイクロ波を生成し、前記マイクロ波の少なくとも一部を前記第２の分離器内の前記廃水の前記第２の部分に向け、それによって前記廃水の前記第２の部分を加熱するように構成されたマグネトロンを含む、実施態様４に記載のシステム。
【００６５】
（６）  前記第１の分離器と流体連通している予備分離器をさらに含み、前記予備分離器は、前記廃水を受け取り、前記廃水から不溶性固体物質を分離し、前記廃水から前記不溶性固体物質を除去し、前記廃水を前記第１の分離器に供給するように構成されている、実施態様４に記載のシステム。
（７）  前記予備分離器はハイドロサイクロンであり、前記ハイドロサイクロンは、受け取られた前記廃水を前記ハイドロサイクロンの内面の周りに接線方向に向け、それによって、前記受け取られた廃水に作用して、前記受け取られた廃水から前記不溶性固体物質を分離する反応性遠心力を発生するように構成されている、実施態様６に記載のシステム。
（８）  前記第２の分離器に結合された少なくとも１つの第１の圧力計をさらに含み、前記少なくとも１つの第１の圧力計は、前記第２の分離器内の前記第２の蒸気の圧力を測定するように構成されている、実施態様４に記載のシステム。
（９）  前記第１の分離器に結合された少なくとも１つの第２の圧力計をさらに含み、前記少なくとも１つの第２の圧力計は、前記第１の分離器内の前記第１の蒸気の圧力を測定するように構成されている、実施態様８に記載のシステム。
（１０）  前記第２の分離器内に配置された第１のレベル計をさらに含み、前記第１のレベル計は、前記廃水の前記第２の部分の量を測定するように構成されている、実施態様１に記載のシステム。
【００６６】
（１１）  前記第２の分離器内に配置された第１のデミスタをさらに含み、前記第１のデミスタは、前記第２の蒸気中に同伴された液滴を除去するように構成されている、実施態様１に記載のシステム。
（１２）  前記第１の分離器内に配置された第２のデミスタをさらに含み、前記第２のデミスタは、前記第１の蒸気中に同伴された液滴を除去するように構成されている、実施態様１１に記載のシステム。
（１３）  方法において、
第１の分離器において廃水を受け取り、前記廃水の第１の部分を前記第１の分離器内に保持することと、
第２の分離器において、前記第１の分離器から前記廃水の第２の部分を受け取ることと、
前記廃水の前記第２の部分から懸濁固体を除去するために第１の電気凝固ユニットの第１のセルの第１のアノードと第１のカソードとの間に第１の電圧差を発生させることと、
前記第２の分離器内の第１の凝縮器において前記第１の分離器から第１の蒸気を受け取ることと、
前記第１の蒸気からの熱を前記廃水の前記第２の部分に伝達し、それによって前記第１の蒸気を第１の液体に凝縮することと、
前記第２の分離器内の第１の加熱要素を使用して熱を生成することと、
前記廃水の前記第２の部分に前記熱を伝達することであって、前記第１の蒸気からの熱および前記加熱要素からの熱は、前記廃水の前記第２の部分の少なくとも一部を蒸発させ、それによって前記第２の分離器内に第２の蒸気を形成する、ことと、
前記第２の蒸気を前記第１の分離器内の第２の凝縮器に供給することと、
を含む、方法。
（１４）  前記第２の凝縮器において前記第２の蒸気を受け取ることと、
前記第２の蒸気からの熱を前記廃水の前記第１の部分に伝達し、それによって前記第２の蒸気を第２の液体に凝縮することと、
をさらに含む、実施態様１３に記載の方法。
（１５）  前記廃水の前記第１の部分から懸濁固体を除去するために、第２の電気凝固ユニットの第２のセルの第２のアノードと第２のカソードとの間に第２の電圧差を発生させることをさらに含む、実施態様１３に記載の方法。
【００６７】
（１６）  マグネトロンを使用してマイクロ波を生成することと、
前記マイクロ波の少なくとも一部を前記廃水の前記第２の部分に向けることにより、前記廃水の前記第２の部分を加熱することと、
をさらに含む、実施態様１３に記載の方法。
（１７）  前記第２の分離器に結合された少なくとも１つの第１の圧力計を用いて、前記第２の分離器内の前記第２の蒸気の圧力を測定することをさらに含む、実施態様１３に記載の方法。
（１８）  前記第１の分離器に結合された少なくとも１つの第２の圧力計を用いて、前記第１の分離器内の前記第１の蒸気の圧力を測定することをさらに含む、実施態様１７に記載の方法。
（１９）  前記第２の分離器内に配置された第１のデミスタを用いて、前記第２の蒸気中に同伴された液滴を除去することをさらに含む、実施態様１３に記載の方法。
（２０）  前記第１の分離器内に配置された第２のデミスタを用いて、前記第１の蒸気中に同伴された液滴を除去することをさらに含む、実施態様１９に記載の方法。
【００６８】
（２１）  システムにおいて、
廃水を受け取り、前記廃水の第１の部分を保持し、前記廃水の前記第１の部分を第１の蒸気および第１の固体物質に分離するように構成された第１の分離器を含み、
前記第１の分離器は、第１の凝縮器および第１の電気凝固ユニットを含む、システム。
（２２）  前記第１の分離器と流体連通している第２の分離器をさらに含み、前記第２の分離器は、前記第１の分離器から前記廃水の第２の部分を受け取り、前記廃水の前記第２の部分を第２の蒸気および第２の固体物質に分離するように構成されている、実施態様２１に記載のシステム。
（２３）  前記第２の分離器は、前記第１の分離器と流体連通している第２の凝縮器を含み、前記第２の凝縮器は、前記第１の分離器から前記第１の蒸気を受け取り、前記第１の蒸気からの熱を前記廃水の前記第２の部分に伝達し、それによって前記第１の蒸気を第１の液体に凝縮するように構成されている、実施態様２１に記載のシステム。
（２４）  前記第２の分離器は、熱を生成し、前記熱を前記廃水の前記第２の部分に伝達するように構成された加熱要素を含み、前記第１の蒸気からの熱および前記加熱要素からの熱は、前記廃水の前記第２の部分の少なくとも一部を蒸発させ、それによって前記第２の分離器内に前記第２の蒸気を形成する、実施態様２３に記載のシステム。
（２５）  前記第２の分離器は、前記廃水の前記第２の部分と接触する第１のアノードおよび第１のカソードを含む少なくとも１つの第１の電気凝固セルを有する第２の電気凝固ユニットを含み、前記少なくとも１つの第１の電気凝固セルは、前記廃水の前記第２の部分から懸濁固体を分離するように構成され、分離された前記懸濁固体は、前記第２の固体物質の少なくとも一部を形成する、実施態様２４に記載のシステム。
【００６９】
（２６）  合計ｎ個の分離器（ｎは自然数である；ｎ≧２）をさらに含み、
第ｉの分離器（ｉは任意の自然数である；２≦ｉ≦ｎ）については、前記第ｉの分離器は、第（ｉ−１）の分離器と連通し、前記第ｉの分離器は、前記第（ｉ−１）の分離器から前記廃水の第ｉの部分を受け取り、前記廃水の前記第ｉの部分を第ｉの蒸気および第ｉの固体物質に分離するように構成され、前記第ｉの分離器は、第ｉの凝縮器および第ｉの電気凝固ユニットを含む、実施態様２１に記載のシステム。
（２７）  第ｎの分離器は、熱を生成し、前記熱を前記廃水の第ｎの部分に伝達するように構成された加熱要素を含み、第（ｎ−１）の蒸気からの熱および前記加熱要素からの熱は、前記廃水の前記第ｎの部分の少なくとも一部を蒸発させ、それによって前記第ｎの分離器内に第ｎの蒸気を形成する、実施態様２６に記載のシステム。
（２８）  第ｎの分離器は、マイクロ波を生成し、前記マイクロ波の少なくとも一部を前記第ｎの分離器内の前記廃水の第ｎの部分に向け、それによって前記廃水の前記第ｎの部分を加熱するように構成されたマグネトロンを含む、実施態様２６に記載のシステム。
（２９）  前記第１〜第ｎの分離器のうちの少なくとも１つは、蒸気中に同伴された液滴を除去するように構成されたデミスタを含む、実施態様２６に記載のシステム。
（３０）  前記第１の分離器と流体連通している予備分離器をさらに含み、前記予備分離器は、前記廃水を受け取り、不溶固体物質を前記廃水から分離し、前記不溶固体物質を前記廃水から除去し、前記廃水を前記第１の分離器に供給するように構成されている、実施態様２６に記載のシステム。
【００７０】
（３１）  前記予備分離器は、ハイドロサイクロンであり、前記ハイドロサイクロンは、受け取られた前記廃水を前記ハイドロサイクロンの内面の周りに接線方向に向け、それによって前記受け取られた廃水に作用して前記受け取られた廃水から前記不溶性固体物質を分離する反応性遠心力を発生するように構成されている、実施態様３０に記載のシステム。
（３２）  前記第１の分離器は、加熱要素を含む、実施態様２１に記載のシステム。
（３３）  本明細書に記載および／または図示されている、器具、システム、物品、および技術。
【図１】
2021526955.tif 000003
【図２】
2021526955.tif 000004
【図３】
2021526955.tif 000005
【図４】
2021526955.tif 000006
【図５】
2021526955.tif 000007
【図６】
2021526955.tif 000008
【図７】
2021526955.tif 000009
【図８】
2021526955.tif 000010
【図９】
2021526955.tif 000011
【図１０】
2021526955.tif 000012
【図１１】
2021526955.tif 000013
【図１２】
2021526955.tif 000014
【図１３】
2021526955.tif 000015
【図１４】
2021526955.tif 000016
【図１５】
2021526955.tif 000017
【図１６】
2021526955.tif 000018
【図１７】
2021526955.tif 000019
【図１８】
2021526955.tif 000020
【図１９】
2021526955.tif 000021
【図２０】
2021526955.tif 000022
【図２１】
2021526955.tif 000023
【国際調査報告】
2021526955.tif 000024
2021526955.tif 000025